(57)【特許請求の範囲】
【請求項１】
酸又は無機塩からなる触媒と、水と、触媒の存在下においてのみ水と反応して発熱する、鉄とマグネシウムの合金からなる発熱素子と、発熱素子の発熱によって揮散する薬剤との組み合わせからなり、発熱素子が通水性基材によって包被され、触媒及び水を通水性基材の外側から浸透させて発熱素子に接触させるようにした薬剤発散具。
【請求項２】
触媒が無機塩で、あらかじめ水に溶解されてなる請求項１記載の薬剤発散具。
【請求項３】
弱酸を含む緩衝剤が、あらかじめ水に溶解されている請求項１又は２記載の薬剤発散具。
【請求項４】
薬剤が、あらかじめ発熱素子及び／又は水に調合されている請求項１、２又は３記載の薬剤発散具。
【発明の詳細な説明】
【０００１】
【発明の属する技術分野】
本発明は、薬剤発散具、特に火、電熱等の従来の熱源を必要とせず、化学反応により自己発熱する発熱素子を熱源として、薬剤を揮散させる薬剤発散具に関する。
【０００２】
【従来の技術】
従来、薬剤発散具としては、燃料を燃やして熱源とするものや電熱を用いるものが知られているが、これらは加熱手段が大きく取扱いに不便を来すだけでなく、発火や発熱に伴う火災の危険性が存在する問題があった。
【０００３】
これを改良するものとして、生石灰等と水との発熱反応を熱源として薬剤を加熱して揮散させる薬剤発散具が知られている。しかし、このような水と直接反応する物質を熱源とすると、未使用時に誤って水がかかった場合や子供等が誤ってなめてしまった場合に、やけどを負ったりする危険性があった。
【０００４】
【発明が解決しようとする課題】
そこで、本発明は、火や電熱を用いる場合のような火災の危険がなく、取り扱いに便利であり、しかも水と直接反応する物質を熱源とせずに、薬剤を加熱して揮散させることができる薬剤発散具を提供することを目的とする。
【０００５】
【課題を解決するための手段】
上記目的を達成するため鋭意研究した結果、水に接触するだけでは反応せず、触媒の存在下において初めて水と反応して発熱する物質を用いると、上記目的が達成できる発散具が得られることを見出だし、本発明を完成させた。
【０００６】
すなわち、本発明の薬剤発散具は、触媒と、水と、触媒の存在下においてのみ水と反応して発熱する発熱素子と、発熱素子の発熱によって揮散する薬剤との組み合わせからなり、発熱素子が通水性基材によって包被され、触媒及び水を通水性基材の外側から浸透させて発熱素子に接触させるようにしたことを特徴としている。
【０００７】
上記構成によれば、発熱素子を通水性基材によって包被し、触媒及び水を通水性基材の外側から浸透させて発熱素子に接触させるようにしたため、水との接触を制限して発熱反応をコントロールできる。その結果、発熱反応をコントロールして、適度の薬剤を長時間に亘り発現することが可能となる。また、発熱素子の取扱いが便利である上に、発熱素子が水と反応することにより生成するアルカリ性物質が直接肌に触れるおそれがなく安全性に優れている。
さらに、このアルカリ性物質によって水のｐＨもアルカリ性となるが、発熱素子を通水性基材によって包被しておけば、基材外部に漏出するアルカリ性物質の量が制限されるため、基材外部に存在する水のｐＨ上昇を抑えることが可能となり、肌に対する刺激性を低くすることができる。
ここで、触媒の存在下において水と反応する発熱素子としては、水と直接反応せず、触媒の存在下において初めて水と反応する物質であって、発火するほどの激しい反応が起こらず、薬剤を揮発させる程度に発熱するものであれば、特に限定されない。このような物質としては、鉄を５重量％、マグネシウム９５重量％の合金を例示することができ、粉末、粒状体、固体物など、その形態は問わない。
通水性基材としては、水を通過させるものであれば特に限定されないが、取扱い安さとコストを考慮すると不織布、濾紙、繊維フィルター（タバコのフィルター等）を用いるのが好ましい。必ずしも単一材質である必要はなく、異質のものを用いた多層として形成してもよい。例えば、不織布と濾紙、不織布と繊維フィルターの組み合わせ等が例示される。
【０００８】
また、本発明に用いる触媒は、酸や無機塩等のように発熱素子と水との発熱反応の触媒となるものであれば特に限定されないが、請求項２記載の如く、水に可溶な無機塩を触媒として用い、あらかじめ水に溶解して存在させておくのが好ましい。人体に対する安全性が高く、使用時において発熱素子と水とを接触させた時に、直ちにしかも効率よく発熱反応が開始し、薬剤を揮散させるための発熱がスムーズに行われるので好ましい。ここで、水に可溶な無機塩としては塩化ナトリウム（食塩）、塩化カリウム、塩化カルシウム等が例示される。
【０００９】
本発明に使用される薬剤としては、加熱によって揮散するものであれば特に限定されず、芳香剤、消臭剤、殺菌剤、除菌剤等が例示される。
【００１０】
具体的な薬剤として、例えば、芳香剤の場合、香料であればよく、ラベンダー、レモン、オレンジ、ジャスミン、ペパーミント等の天然香料、リモネン、ターピノレン、ゲラニオール、シトロネロール、酢酸エチル等の合成香料、又はこれらをブレンドした調合香料等が例示される。
【００１１】
なお、発熱素子による薬剤の加熱は直接加熱でも、伝熱媒体を介し、間接加熱のいずれでも良い。
【００１２】
上記薬剤揮散具は、触媒の存在下において発熱素子と水を接触させることにより、発熱素子を発熱させ、薬剤を加熱して揮散させることができる。またこの場合の発熱は、発火するような高温には至らないので、火や電熱器を用いる場合のような火災の心配がなく、また常時は発熱素子と触媒が分離されているので、誤って発熱素子に水がかかるようなことがあっても、発熱反応が起こらないので、従来の生石灰等を用いた場合のように、水と発熱素子が直接反応することによる危険性も解消される。
【００１３】
請求項３記載のように、弱酸を含む緩衝剤をあらかじめ水に溶解させておけば、発熱素子と水との発熱反応の結果、アルカリ性物質が生成した場合に、この発熱反応をほとんど阻害することなく、溶液がアルカリ性となるのを防止することができる。しかも、発熱素子を通水性基材によって包被することにより、基材外部に漏出するアルカリ性物質の量が制限されるため、比較的少ない量の緩衝剤でｐＨをコントロールすることができ、安全性の高い薬剤発散具を提供することができる。なお、緩衝剤は、そのままの状態で薬剤発散具に備え付けておき、後から水に溶解させるようにすることも可能である。
【００１４】
このような弱酸を含む緩衝剤としては、例えば、クエン酸／クエン酸ナトリウム系、リン酸／リン酸ナトリウム系、Ｔｒｉｓ−ＮａＯＨ（ハイドロキシメチルアミノメタン系）等が例示される。
【００１５】
また、請求項４記載のように、薬剤をあらかじめ発熱素子及び／又は水に調合しておけば、水と発熱素子が接触して発熱すると、その熱が薬剤にスムーズに伝達され、薬剤の揮散を効率よく達成できる。
【００１６】
薬剤を発熱素子に調合する方法としては、薬剤が液状の場合には多孔質物質に含浸させ、薬剤が粉末若しくは粒状体の場合は、発熱素子と混在しておく等、その形態に応じた調合方法をとれば良い。
【００１７】
油系薬剤を水に調合する方法としては、界面活性剤の存在下で溶解させる方法を採用することができる。但し、界面活性剤の量はできるだけ少なくするのが好ましい。発熱反応時の界面活性剤による泡立ちは好ましくないので、それを防止するためである。ここで使用する薬剤としては、芳香剤として使用する場合、特に限定されないが、前記のラベンダー、レモン、オレンジ、ジャスミン、ペパーミント等の天然香料、リモネン、ターピノレン、ゲラニオール、シトロネロール、酢酸エチル等の合成香料、又はこれらをブレンドした調合香料等が好適に用いられ、また、界面活性剤は、これらの油系薬剤の界面活性剤として使用できるものであれば、アニオン、カチオン、両性、ノニオンの各界面活性剤の種類にかかわらず１種以上を適宜使用できる。
【００１８】
【実施例】
以下、実施例を用いて本発明を更に具体的に説明するが、本発明はこれらの実施例になんら限定されるものではない。
【００１９】
（実施例１）
（１）発熱素子として、鉄を５重量％、マグネシウムを９５重量％の合金の粉末３．０ｇと、シリカゲル０．１ｇに薬剤として香料（ラベンダー系）０．３ｇを含浸させたものとを混合し、これを通水性基材である不織布で包被して断面楕円形状の発熱素子包含袋１を作成した。
【００２０】
次いで、発熱素子包含袋１を、図１（イ）に示すように横たえる状態にして、容器４に入れ、触媒としての食塩１．０ｇを水２０ｍｌに溶かした触媒水溶液２を容器４に注ぐ。図１（イ）に示すように、発熱素子包含袋１をその上部を残して水中に浸漬すると、発熱素子の多くの部分が短時間で触媒水溶液と接するので、発熱の程度が大きくなる。その結果、発熱素子に含浸された香料から発散する香料と水蒸気の勢いは強く、使用感は大きいが、その持続時間は３０秒程度である。
【００２１】
（２）前記発熱素子包含袋１を、図１（ロ）に示すように横たえる状態にして、容器に入れる。次に前記触媒水溶液２を容器４に注ぎ、図１（ロ）に示すように、発熱素子包含袋１の下部のみを水中に浸漬すると、食塩水溶液が発熱素子包含袋１の下部から上部に浸透して行くことになり、発熱反応は図１（イ）の場合より抑制されるが、発生する水蒸気の勢いと香料は比較的強く、しかもこのような状態の持続時間も２〜３分程度と長くなる。
【００２２】
（３）前記発熱素子包含袋１を、図１（ハ）に示すようにその長軸方向が容器４の底面に垂直になる状態にして、容器に入れる。次に前記触媒水溶液２を容器に注ぎ、発熱素子包含袋１の一方端部のみを浸漬すると、食塩水溶液が縦方向に長い発熱素子包含袋１の下部から上部に浸透して行くことになり、発熱反応は図１（ロ）の場合より抑制され、発生する水蒸気の勢いと香料は図１（ロ）の場合より更に抑制されることになるが、このような状態の持続時間は３〜５分程度であり、非常に長くなる。
【００２３】
（実施例２）
前記発熱素子包含袋１の水と接触する側に不織布とは別の通水性基材として濾紙層３を付加し、これを図２に示すように横たえる状態にして容器４に入れる。次に前記触媒水溶液２を容器に注ぎ、図２に示すように、発熱素子包含袋１の濾紙層３の部分のみが水に沈む状態になる程度に浸漬すると、食塩水溶液が発熱素子包含袋１の下部から上部に、濾紙層３及び不織布層を介して浸透して行くことになるので、発熱反応は図１（ロ）の場合より抑制され、発生する水蒸気の勢いと香料は図１（ロ）の場合より更に抑制されるが、このような状態の持続時間は３〜５分程度であり、非常に長くなる。すなわち、不織布の水と接する側を分厚くすることによっても、薬剤発散具の使用感や持続時間のコントロールが可能となる。
【００２４】
（実施例３）
実施例２と同様に、発熱素子包含袋１の水と接触する側に濾紙層３を付加し、図３に示す容器４に横たえるとともに、多数の孔の開いたプレート板８を有する蓋６にて上面に蓋をし、プレート板の孔から前記触媒水溶液２を容器に注ぐと、実施例２と同様の水蒸気の発生と香料の発散、その持続時間が確保される。この場合、前記発熱素子包含袋１に直接手が触れる危険性がなくなり、安全性を向上し得るほか、不織布が異物と接触して破損する懸念もなくなる。
【００２５】
（実施例４）
実施例１と同様の鉄５重量％、マグネシウムを９５重量％合金の粉末０．５ｇと、シリカゲル０．１ｇに香料（フローラル系）０．３ｇを含浸させた後、図１と同様の容器に入れ、触媒としての食塩１．０ｇとｐＨ緩衝剤（クエン酸２ｇ、クエン酸３ナトリウム６ｇ、リン酸２水素ナトリウム１ｇ、リン酸水素２ナトリウム４ｇ）とを水２０ｍｌに溶かした触媒水溶液を容器に注ぐと、発熱反応はｐＨ緩衝剤が存在しない場合と同様に起こり、反応後の溶液がアルカリ性になるのを防止することができ、手に触れたとき等の危険性を回避することができた。
【００２６】
【発明の効果】
以上説明したように、請求項１〜２記載の薬剤発散具によれば、触媒と水と発熱素子が接触して発熱するので、発熱素子と直接又は間接的に接触する薬剤が揮散し薬剤を発散する。さらに、発熱素子を通水性基材によって包被したため、発熱素子の取扱いが便利で、安全性に優れた薬剤発散具を提供することができる。
【００２７】
この場合の発熱は、発火するような高温には至らないので、火や電熱器を用いる場合のような火災の心配がなく、また未使用時には発熱素子と触媒とが分離されているので、誤って発熱素子に水がかかるようなことがあっても、発熱反応が起こらないので、水と発熱素子が直接反応することによる従来の危険性も解消される。
【００２８】
また、弱酸を含む緩衝剤をあらかじめ水に溶解させておけば、発熱素子と水との発熱反応をほとんど阻害することなく、溶液系のｐＨを一定に調整でき、薬剤をあらかじめ発熱素子及び／又は水に調合しておけば、水と発熱素子が接触して発熱すると、その熱が薬剤にスムーズに伝達され、薬剤効率よく揮散できる。
【００２９】
また、通水性基材を介して発熱素子に水が付与される構成を採用すれば、急激な発熱反応が抑制され、発熱反応をコントロールできるので、適度の薬剤を長時間に亘り発現することが可能となる。
【図面の簡単な説明】
【図１】    図１は本発明の第１実施例の薬剤発散具を示す概略図であり、（イ）、（ロ）、（ハ）は発熱素子包含袋と触媒水溶液の接触状態を変えた薬剤発散具を示す。
【図２】    図２は本発明の第２実施例の薬剤発散具を示す概略図である。
【図３】    図３は本発明の第３実施例の薬剤発散具を示す概略図である。
【符号の説明】
１；  薬剤が含浸された発熱素子粉末を不織布で包んだ発熱素子包含袋
２；  触媒水溶液
３；  濾紙
４；  容器
５；  発熱素子粒子
６；  容器の蓋
８；  孔が開いたプレート
【図１】
0004647736.tif 000002
【図２】
0004647736.tif 000003
【図３】
0004647736.tif 000004